(57)【特許請求の範囲】
【請求項１】
可動接触子投入用の圧縮ばねを圧縮チャージするチャージ機構部と、このチャージ機構部の圧縮チャージに連動して回動するカムと、このカムの回動に從動して上記圧縮ばねのチャージまたはディスチャージの状態を表示するばねチャージ表示板とを有する電気操作装置付回路遮断器の動作表示機構において、
上記可動接触子の開閉動作に連動して可動接触子の開または閉に対応した位置に動くようになされた連結板を設け、この連結板に連動して上記可動接触子が開のときはＯＦＦの記号を、閉のときはＯＮの記号を表示するように作動する開閉動作表示板を設け、上記開閉動作表示板のＯＦＦの記号とＯＮの記号の中間にＴＲＩＰの記号を設けると共に、上記ばねチャージ表示板と上記開閉動作表示板の対向部分に、互いに突き合わされるように形成されたストッパ部を設け、上記可動接触子がトリップ動作したとき、上記ばねチャージ表示板はディスチャージの記号を表示した状態にあって、上記ストッパ部が突き合わされる位置まで上記開閉動作表示板が作動することにより、上記開閉動作表示板が上記ＴＲＩＰの記号を表示するように構成したことを特徴とする電気操作装置付回路遮断器の動作表示機構。
【請求項２】
可動接触子投入用の圧縮ばねを圧縮チャージするチャージ機構部と、このチャージ機構部の圧縮チャージに連動して回動するカムと、このカムの回動に從動して上記圧縮ばねのチャージまたはディスチャージの状態を表示するばねチャージ表示板とを有する電気操作装置付回路遮断器の動作表示機構において、
上記可動接触子の開閉動作に連動して可動接触子の開または閉に対応した位置に動くようになされた連結板を設け、この連結板に連動して上記可動接触子が開のときはＯＦＦの記号を、閉のときはＯＮの記号を表示するように作動する開閉動作表示板を設け、上記開閉動作表示板のＯＦＦの記号とＯＮの記号の中間にＴＲＩＰの記号を設けると共に、上記ばねチャージ表示板と上記開閉動作表示板の対向部分の間にトリップ表示連結板を設け、上記可動接触子がトリップ動作したとき、上記ばねチャージ表示板はディスチャージの記号を表示した状態にあって、上記トリップ表示連結板により規制された位置まで上記開閉動作表示板が作動することにより、上記開閉動作表示板が上記ＴＲＩＰの記号を表示するように構成したことを特徴とする電気操作装置付回路遮断器の動作表示機構。
【発明の詳細な説明】
【０００１】
【発明の属する技術分野】
この発明は、電気操作装置により回路遮断器のハンドルを開閉操作するようになされた、いわゆる、電気操作装置付回路遮断器において、特に、ＯＮ，ＯＦＦの開閉動作状態を表示する動作表示機構に関するものである。
【０００２】
【従来の技術】
図７は、例えば米国特許第５４７７０１６号公報に示された従来の電気操作装置付回路遮断器の要部を示す構成図であり、回路遮断器がＯＮの状態を示す。図８は、図７の回路遮断器がＯＦＦまたはＴＲＩＰ動作した状態を示す。
図において、１は回路遮断器本体、２は回路遮断器本体１の可動接触子、３は回路遮断器１の可動接触子２の開閉動作に連動し、図上において上下方向にスライド動作するリンクロッドである。４は連結板であり、一端部がリンクロッド３に係合し、リンクロッド３に連動して上下方向にスライド動作する。また、連結板４には他端部にく字状の溝５を有し、後述する表示板６の突起部７と係合する。６は回路遮断器がＯＮまたはＯＦＦ動作したことの表示を行なう表示板であり、一端に突起部７が設けられている。この突起部７が連結板４の溝５に係合し、連結板４のスライド動作に応じて、軸８を中心に回動し、表示部６ａに設けられたＯＮ及びＯＦＦの記号により、ＯＮまたはＯＦＦ動作の表示を行う。なお、電気操作装置の図示及び説明は省略する。
【０００３】
次に、従来の電気操作装置の動作について説明する。図７に示すように、回路遮断器本体１がＯＮの状態すなわち回路遮断器本体１の可動接触子２が閉路状態にあるとき、リンクロッド３は矢印Ａ方向に上昇した位置にあり、連結板４もリンクロッド３に連動して矢印Ｂ方向にスライドして上昇した状態となる。このとき、表示板６の突起部７が連結板４のく字状の溝５に従動するので、表示板６の表示部６ａは軸８を中心に矢印Ｃ方向に回動してフロントパネル９の窓９ａから「ＯＮ」の記号（図示せず）が表示される。
【０００４】
次に、図８に示す回路遮断器本体１がＯＦＦまたはＴＲＩＰ動作の状態、すなわち回路遮断器本体１の可動接触子２が開路状態にあるときは、可動接触子ホルダ１０が矢印Ｄ方向に回動し、リンクロッド３は矢印Ｅ方向に下降するので、連結板４も矢印Ｆ方向にスライドして下降した状態となる。このとき、表示板６の突起部７が連結板４のく字状の溝５に係合しているので、表示板６の表示部６ａは軸８を中心に矢印Ｇ方向に回動して、フロントパネル９の窓９ａから「ＯＦＦ」の記号（図示せず）が表示される。
【０００５】
【発明が解決しようとする課題】
上記のような従来の電気操作装置付回路遮断器の動作表示機構では、回路遮断器が開路状態の場合、ＯＦＦ状態であるか若しくは過電流等によるトリップ動作状態であるかの判別ができないという問題点があった。
【０００６】
この発明は、上述のような問題点を解決するためになされたもので、回路遮断器の開路状態がＯＦＦ状態であるか若しくはトリップ動作状態であるかを判別できる表示機能を備えた電気操作装置付回路遮断器の動作表示機構を得ることを目的としている。
【０００７】
【課題を解決するための手段】
この発明に係る電気操作装置付回路遮断器の動作表示機構においては、可動接触子投入用の圧縮ばねを圧縮チャージするチャージ機構部と、このチャージ機構部の圧縮チャージに連動して回動するカムと、このカムの回動に從動して圧縮ばねのチャージまたはディスチャージの状態を表示するばねチャージ表示板とを有する電気操作装置付回路遮断器において、可動接触子の開閉動作に連動して可動接触子の開または閉に対応した位置に動くようになされた連結板を設け、この連結板に連動して可動接触子が開のときはＯＦＦの記号を、閉のときはＯＮの記号を表示するように作動する開閉動作表示板を設け、開閉動作表示板のＯＦＦの記号とＯＮの記号の中間にＴＲＩＰの記号を設けると共に、ばねチャージ表示板と開閉動作表示板の対向部分に、互いに突き合わされるように形成されたストッパ部を設け、可動接触子がトリップ動作したとき、ストッパ部が突き合わされる位置まで開閉動作表示板が作動することにより、開閉動作表示板がＴＲＩＰの記号を表示するように構成したものである。
【０００８】
また、可動接触子の開閉動作に連動して可動接触子の開または閉に対応した位置に動くようになされた連結板を設け、この連結板に連動して可動接触子が開のときはＯＦＦの記号を、閉のときはＯＮの記号を表示するように作動する開閉動作表示板を設け、開閉動作表示板のＯＦＦの記号とＯＮの記号の中間にＴＲＩＰの記号を設けると共に、ばねチャージ表示板と開閉動作表示板の対向部分の間にトリップ表示連結板を設け、可動接触子がトリップ動作したとき、トリップ表示連結板により規制された位置まで開閉動作表示板が作動することにより、開閉動作表示板がＴＲＩＰの記号を表示するように構成したものである。
【０００９】
【発明の実施の形態】
実施の形態１．
図１〜３は、この発明の実施の形態１である電気操作装置付回路遮断器の動作表示機構の要部を示す構成図であり、図１は回路遮断器がＯＦＦで圧縮ばねがチャージ状態、図２は回路遮断器がＯＮで圧縮ばねがディスチャージ状態、図３は回路遮断器がＴＲＩＰで圧縮ばねがディスチャージ状態を示す。
【００１０】
図において、１００は回路遮断器本体、１１０は回路遮断器本体１００に固着された電気操作装置のベース、１２０はベース１１０に装着されたフレームである。１０１は回路遮断器本体１００の固定接触子であり、固定接点１０１ａが固着されている。１０２は固定接触子１０１に対向して接離する可動接触子であり、可動接点１０２ａが固着されている。１０３は可動接触子１０２を回動自在に保持する可動接触子ホルダ、１０４は他極の可動接触子ホルダ１０３を連結する連結ピンである。１３は可動接触子１０２の開閉動作に連動して図上において上下方向にスライド動作するリンクロッドであり、下端部１３ａが連結ピン１０４に係合している。従って、リンクロッド１３は可動接触子ホルダ１０３を介して可動接触子１０２の開閉動作に連動するように構成されている。１４は例えば合成樹脂で形成された連結板であり、一端部がリンクロッド１３に係合し、そのリンクロッド１３に連動して上下方向にスライド動作する。また、連結板１４には他端部に切込み部１４ａと、後述する開閉動作表示板１５の開閉表示用突起部１５ｂと係合する係合部１４ｂと、フレーム１２０に固着されたピン１２０ａに係合する複数の長孔１４ｃと、ばね掛け突起１４ｄを有している。
【００１１】
１５は回路遮断器本体１００がＯＮまたはＯＦＦまたはＴＲＩＰ動作の表示を行なう開閉動作表示板であり、例えば合成樹脂で形成され、一端部に開閉表示部１５ａを有し、図示しないが開閉表示部１５ａには、「ＯＮ」及び「ＯＦＦ」の記号が両端に表示されている。また、「ＯＮ」の記号と「ＯＦＦ」の記号の中間に「ＴＲＩＰ」の記号を設けてある。１５ｂは開閉動作表示板１５の他端部に形成された開閉表示用突起部である。１５ｃは開閉動作表示板１５が回動可能に軸支される開閉動作表示板用支軸であり、フレーム１２０に固着されている。
【００１２】
１６は回路遮断器本体１００の後述するハンドル１９を投入操作する圧縮ばね（図示せず）の、チャージまたはディスチャージ状態を表示するばねチャージ表示板であり、例えば合成樹脂で形成され、一端部にチャージ表示部１６ａを有し、図示しないがチャージ表示部１６ａには、「ｃｈａｒｇｅｄ」及び「ｄｉｓｃｈａｒｇｅｄ」の記号が表示されている。１６ｂはばねチャージ表示板１６の他端部に形成されたチャージ表示用突起部である。１６ｃはばねチャージ表示板１６が回動可能に軸支されるばねチャージ表示板用支軸であり、フレーム１２０に固着されている。１６ｄはばねチャージ表示板１６の側面から開閉動作表示板１５の方向に突出したストッパ部である。
【００１３】
１７はモータ１８からギヤー（図示せず）で減速されて伝達された伝導軸１８ａに固着され反時計方向に回転するカムであり、切欠け部１７ａを有し、ばねチャージ表示板１６に形成されたチャージ表示用突起部１６ｂに係合している。１９は回路遮断器本体のハンドル、２０は電気操作装置を保護するフロントパネルであり、開閉表示部１５ａの表示記号が見える位置に開閉表示窓２０ａと、チャージ表示部１６ａの表示記号が見える位置にチャージ表示窓２０ｂを有している。２１は引きばねであり、連結板１４を常時矢印Ｈ方向に付勢する。
【００１４】
なお、上記の圧縮ばね（図示せず）は、モータ式の電気操作装置付回路遮断器において、投入手段として一般に用いられているものである。即ち、電気操作装置により回路遮断器をＯＦＦにしたときは、圧縮ばねはモータ１８により自動的に圧縮チャージされるが、回路遮断器が自動引外し（ＴＲＩＰ）したときは、自動的に圧縮チャージされず、ＴＲＩＰした回路遮断器のリセットの際に圧縮チャージされる。回路遮断器を投入するときは上記圧縮チャージされた圧縮ばねの付勢力を利用して投入されるようになされている。また、通常この圧縮ばねは手動で圧縮チャージすることもできるように構成されている。
【００１５】
上記のように構成された回路遮断器の電気操作装置の動作を説明する。先ず、図１  に示す回路遮断器本体１００がＯＦＦで圧縮ばねがチャージ状態においては、回路遮断器本体１００の可動接触子１０２は開路状態、即ち、ＯＦＦ状態にある。このとき、リンクロッド１３は可動接触子１０２の開路動作に連動して図上で上方向にスライド動作する。この開路動作により、リンクロッド１３はハンドル１９側に上昇した位置に移動している。連結板１４は引きばね２１により常時矢印Ｈ方向に付勢されているが、リンクロッド１３の移動に連動して図上で上方向にスライドする。
【００１６】
カム１７は、圧縮ばね（図示せず）のチャージを行う伝導軸１８ａにより、チャージに連動して回動され、チャージ状態ではカム１７の切欠け部１７ａがチャージ表示用突起部１６ｂに係合する位置にある。ばねチャージ表示板１６はチャージ表示板用支軸１６ｃを中心として、ひねりばね（図示せず）により常時矢印Ｋ方向に回動するように付勢されている。従って、圧縮ばねがチャージされているときは、チャージ表示用突起部１６ｂがカム１７の切欠け部１７ａに係合し、チャージ表示部１６ａの「ｃｈａｒｇｅｄ」の記号がチャージ表示窓２０ｂを通して外部から見えるように表示される。
【００１７】
開閉動作表示板１５は開閉動作表示板用支軸１５ｃを中心として、ひねりばね（図示せず）等により常時矢印Ｍ方向に回動するように付勢されており、回路遮断器本体１００がＯＦＦ時は、ストッパ面１５ｄがばねチャージ表示板１６のストッパ部１６ｄにより回動を阻止され、開閉表示部１５ａの「ＯＦＦ」の記号が開閉表示窓２０ａを通して外部から見えるように表示される。また、この時、開閉動作表示板１５の開閉表示用突起部１５ｂは連結板１４の係合部１４ｂに係合していないので、切込み部１４ａ内で連結板１４からはフリーな状態にある。
【００１８】
この様に、回路遮断器本体１００がＯＦＦで圧縮ばねがチャージされた状態においては、ばねチャージ表示板１６のチャージ表示部１６ａは「ｃｈａｒｇｅｄ」の記号を表示し、開閉動作表示板１５の開閉表示部１５ａは［ＯＦＦ］の記号を表示する。
【００１９】
次に、図２に示す回路遮断器本体１００がＯＮで圧縮ばねがディスチャージの状態について説明する。回路遮断器本体１００の可動接触子１０２は閉路状態であり、ＯＮ状態にある。リンクロッド１３は可動接触子１０２の閉路動作に連動して下部位置にあり、連結板１４は引きばね２１により常時矢印Ｎ方向に付勢され、リンクロッド１３に連動し下部位置に移動している。この時、開閉動作表示板１５は開閉表示用突起部１５ｂが連結板１４の係合部１４ｂに係合し、開閉動作表示板用支軸１５ｃを中心に矢印Ｐ方向に回動し、開閉表示部１５ａの「ＯＮ」の記号が開閉表示窓２０ａを通して外部から見えるように表示される。
【００２０】
圧縮ばねのディスチャージ時、カム１７は反時計方向に回転し図示の位置に移動し、ばねチャージ表示板１６のチャージ表示用突起部１６ｂを矢印Ｒ方向へ押上げるため、ばねチャージ表示板１６はチャージ表示板用支軸１６ｃを中心に矢印Ｓ方向に回動し、チャージ表示部１６ａの「ｄｉｓｃｈａｒｇｅｄ」の記号がチャージ表示窓２０ｂを通して外部から見えるように表示される。この時、開閉動作表示板１５のストッパ面１５ｄとばねチャージ表示板１６のストッパ部１６ｄは離れた状態にある。
【００２１】
次に、図３に示す回路遮断器本体１００がＴＲＩＰ動作した状態で圧縮ばねがディスチャージの状態、すなわち回路遮断器本体１００が過電流等によりＴＲＩＰ動作した場合について説明する。即ち、回路遮断器本体１００の可動接触子１０２は閉路から開路状態になり、リンクロッド１３は矢印Ｔ方向に上部位置にスライドする。連結板１４はリンクロッド１３に連動し、矢印Ｕ方向に上部位置にスライドする。
【００２２】
この時、開閉動作表示板１５は、連結板１４の係合部１４ｂと開閉表示用突起部１５ｂとの係合状態が解除されるため、開閉動作表示板用支軸１５ｃを中心に矢印Ｖ方向に回動するが、ストッパ面１５ｄがばねチャージ表示板１６のストッパ部１６ｄに当たり、その位置で停止する。この位置は、ばねチャージ表示板１６の位置がＯＦＦ状態時（  チャージ位置）  とは異なるため、開閉表示部１５ａの文字は「ＯＦＦ」と「ＯＮ」の中間位置である「ＴＲＩＰ」の記号が、開閉表示窓２０ａを通して外部から見えるように表示される。従って、回路遮断器本体１００の開路状態が「ＯＦＦ」状態であるのか、過電流等による「ＴＲＩＰ」状態であるのかを明確に判別できる。なお、上記の構成において、ストッパ部１６ｄは、ばねチャージ表示板１６の側に突出したものを示したが、開閉動作表示板１５の側に突出したストッパ部を設けても、同様の作用効果が得られる。
【００２３】
実施の形態２．
図４〜図６は、この発明の実施の形態２である電気操作装置付回路遮断器の動作表示機構の要部を示す構成図であり、図４は回路遮断器がＯＦＦで圧縮ばねがチャージ状態、図５は回路遮断器がＯＮで圧縮ばねがディスチャージ状態、図６は回路遮断器がＴＲＩＰで圧縮ばねがディスチャージ状態を示す。図において、３０はトリップ表示連結板であり、開閉動作表示板１５の開閉動作表示板用支軸１５ｃと係合する第一の貫通孔３０ａと、ばねチャージ表示板１６のチャージ表示板用支軸１６ｃと係合する第二の貫通孔３０ｂと、フレーム１２０に固着された連結板用支軸３１に係合する第三の貫通孔３０ｃとが設けられている。
【００２４】
また、第一の貫通孔３０ａおよび第二の貫通孔３０ｂおよび第三の貫通孔３０ｃは、トリップ表示連結板３０が図上で左右に移動できるように、いずれも長孔に形成されている。３０ｄは連結板第一ストッパ面、３０ｅは連結板第二ストッパ面である。なお、この実施の形態２のばねチャージ表示板１６は、実施の形態１に示されたストッパ部１６ｄを有しない形状になっている。
なお、上記実施の形態１の電気操作装置付回路遮断器の動作表示機構と、同一または相当する部分には同一の符号を用いてある。
【００２５】
上記のように構成された電気操作装置付回路遮断器の動作表示機構の動作を説明する。先ず、図４に示す回路遮断器本体１００がＯＦＦで圧縮ばねがチャージ状態においては、実施の形態１と同様に、ばねチャージ表示板１６のチャージ表示部１６ａの「ｃｈａｒｇｅｄ」の記号がチャージ表示窓２０ｂを通して外部から見えるように表示される。
【００２６】
同時に、開閉動作表示板１５は開閉動作表示板用支軸１５ｃを中心として、ひねりばね（図示せず）等により常時矢印Ｍ方向に付勢されており、回路遮断器本体１００がＯＦＦ時は、ストッパ面１５ｄがトリップ表示連結板３０の連結板第一ストッパ面３０ｄに当ってその動きが阻止される。この阻止により、開閉表示部１５ａの「ＯＦＦ」の記号が開閉表示窓２０ａを通して外部から見えるように表示される。
【００２７】
次に、図５に示す回路遮断器本体１００がＯＮで圧縮ばねがディスチャージ状態においては、実施の形態１と同様に、開閉動作表示板１５は開閉表示用突起部１５ｂが連結板１４の係合部１４ｂに係合し、開閉動作表示板用支軸１５ｃを中心に矢印Ｐ方向に回動し、開閉表示部１５ａの「ＯＮ」の記号が開閉表示窓２０ａを通して外部から見えるように表示される。
【００２８】
同時に、ばねチャージ表示板１６のチャージ表示部１６ａの「ｄｉｓｃｈａｒｇｅｄ」の記号がチャージ表示窓２０ｂを通して外部から見えるように表示され、この時、トリップ表示連結板３０はフリーの状態になる。
【００２９】
次に、図６に示す回路遮断器本体１００がＴＲＩＰ動作した状態で圧縮ばねがディスチャージ状態においては、実施の形態１と同様に、開閉動作表示板１５は開閉表示用突起部１５ｂと連結板１４の係合部１４ｂとの係合状態が解除されるので、開閉動作表示板用支軸１５ｃを中心に矢印Ｖ方向に回動するが、ストッパ面１５ｄがトリップ表示連結板３０の連結板第一ストッパ面３０ｄに当り、その位置で停止する。
【００３０】
この位置は、ばねチャージ表示板１６の位置が「ＯＦＦ」状態とは異なるため、開閉表示部１５ａのの記号は「ＯＦＦ」と「ＯＮ」の中間位置である「ＴＲＩＰ」が、開閉表示窓２０ａを通して外部から見えるように表示される。従って、回路遮断器本体１００の開路状態が「ＯＦＦ」状態であるか、過電流等による「ＴＲＩＰ」状態であるかを明確に判別できる。
【００３１】
上記実施の形態１に示す構成では、ばねチャージ表示板１６に開閉動作表示板１５の動きを阻止するストッパ部１６ｄを設けたが、この実施の形態２の構成では、開閉動作表示板１５とばねチャージ表示板１６が離れた位置にある場合、トリップ表示連結板３０により開閉動作表示板１５とばねチャージ表示板１６とを連結することにより、実施の形態１の構成と同様の動作を行なわせることができる。従って、上記のように回路遮断器本体１００の開路状態が「ＯＦＦ」状態であるか、過電流等による「ＴＲＩＰ」状態であるかを明確に判別できる。
【００３２】
【発明の効果】
この発明は、以上説明したように構成されているので、以下に記載されるような効果を奏する。
【００３３】
この発明の電気操作装置付回路遮断器の動作表示機構は、回路遮断器のＯＮまたはＯＦＦの状態を表示する開閉動作表示板と、ハンドルを投入操作する圧縮ばねの、チャージまたはディスチャージ状態を表示するばねチャージ表示板との動作関係を利用して、ＯＮまたはＯＦＦと共にＴＲＩＰの状態を表示できるようにした。即ち、特別な部品を付加することなくＯＮまたはＯＦＦの状態であるか、ＴＲＩＰの動作状態であるのか明確に判別できるので、実用性の高い電気操作装置付回路遮断器の動作表示機構が得られる。
【００３４】
また、開閉動作表示板とばねチャージ表示板とが離れた位置にある場合でも、簡単な構成のトリップ表示連結板を設けるだけで、ＯＮまたはＯＦＦの状態であるか、ＴＲＩＰの動作状態であるのか明確に判別できる。従って、上記のものと同様に実用性の高い電気操作装置付回路遮断器の動作表示機構が得られる。
【図面の簡単な説明】
【図１】この発明の実施の形態１を示す電気操作装置付回路遮断器の動作表示機構の要部を示す構成図であり、回路遮断器がＯＦＦで圧縮ばねがチャージ状態を示す。
【図２】図１に示す回路遮断器がＯＮで圧縮ばねがディスチャージ状態を示す。
【図３】図１に示す回路遮断器がＴＲＩＰ動作状態で圧縮ばねがディスチャージ状態を示す。
【図４】この発明の実施の形態２を示す電気操作装置付回路遮断器の動作表示機構の要部を示す構成図であり、回路遮断器がＯＦＦで圧縮ばねがチャージ状態を示す。
【図５】図４に示す回路遮断器がＯＮで圧縮ばねがディスチャージ状態を示す。
【図６】図４に示す回路遮断器がＴＲＩＰ動作した状態で圧縮ばねがディスチャージ状態を示す。
【図７】従来の動作表示機構の要部を示す構成図であり、回路遮断器がＯＮ状態を示す。
【図８】従来の動作表示機構の要部を示す構成図であり、回路遮断器がＯＦＦ状態を示す。
【符号の説明】
１００  回路遮断器本体、１０２  可動接触子、１３  リンクロッド、
１４    連結板、１５  開閉動作表示板、１５ａ  開閉表示部、
１５ｄ  ストッパ面、１６  ばねチャージ表示板、１６ａ  チャージ表示部、
１６ｄ  ストッパ部、１７    カム、１８  モータ、１８ａ  伝導軸、
１９  ハンドル、２０ａ  開閉表示窓、２０ｂ  チャージ表示窓、
２１  引きばね、３０  トリップ表示連結板。
【図１】
0003559194.tif 000002
【図２】
0003559194.tif 000003
【図３】
0003559194.tif 000004
【図４】
0003559194.tif 000005
【図５】
0003559194.tif 000006
【図６】
0003559194.tif 000007
【図７】
0003559194.tif 000008
【図８】
0003559194.tif 000009